(57)【要約】【課題】装着者が動き易い安全帯１を提供する。【解決手段】肩帯２，３と腿帯４，５との少なくとも一方は、環状接続部材７に折り返されるように挿入されて、Ｖ字形状に開かれた第１帯体と、第１帯体の折り返された内側に配置されると共に、環状接続部材７に折り返されるように挿入されて、Ｖ字形状に開かれた第２帯体と、を備え、環状接続部材７を通って環状接続部材７の一方から延びる第１帯体の第１一方部分には、環状接続部材７を通って環状接続部材７の他方から延びる第２帯体の第２他方部分が、環状接続部材７から所定の長さだけ離隔した位置で固定され、環状接続部材７を通って環状接続部材７の他方から延びる第１帯体の第１他方部分には、環状接続部材７を通って環状接続部材７の一方から延びる第２帯体の第２一方部分が、環状接続部材７から所定の長さだけ離隔した位置で固定されている。【選択図】図３
2020028385.tif 000002
【特許請求の範囲】
【請求項１】
装着者の両肩に夫々掛け回される一対の肩帯と、
装着者の両腿に夫々巻き回される一対の腿帯と、
前記腿帯に接続される脚帯と、
前記肩帯と前記脚帯との少なくとも一方が挿通される環状接続部材と、
を備える安全帯であって、
前記肩帯と前記脚帯との少なくとも一方は、
前記環状接続部材に挿入されて折り返され、前記環状接続部材に挿入された折り返し部分を軸にＶ字形状に開かれた第１帯体と、
前記第１帯体の折り返された内側に配置されると共に、前記環状接続部材に折り返されるように挿入されて、前記環状接続部材に挿入された折返し部分を軸にＶ字形状に開かれた第２帯体と、
を備え、
前記環状接続部材を通って前記環状接続部材の一方から延びる前記第１帯体の第１一方部分には、前記環状接続部材を通って前記環状接続部材の他方から延びる前記第２帯体の第２他方部分が、前記環状接続部材から所定の長さだけ離隔した位置で固定され、
前記環状接続部材を通って前記環状接続部材の前記他方から延びる前記第１帯体の第１他方部分には、前記環状接続部材を通って前記環状接続部材の前記一方から延びる前記第２帯体の第２一方部分が、前記環状接続部材から所定の長さだけ離隔した位置で固定されていることを特徴とする安全帯。
【請求項２】
請求項１に記載の安全帯であって、
前記第１帯体は、前記肩帯又は前記脚帯を全体的に構成する帯本体であり、
前記第２帯体は、前記第１帯体よりも短く、且つ、前記第２帯体の前記第２他方部分の端部で前記第１一方部分に固定され、前記第２一方部分の端部で前記第１他方部分に固定されていることを特徴とする安全帯。
【発明の詳細な説明】
【技術分野】
【０００１】
本発明は、安全帯に関する。
【背景技術】
【０００２】
従来、高い場所で作業する作業員（装着者）に命綱を付けて装着される所謂フルハーネス型の安全帯であり、装着者の両肩に夫々掛け回される一対の肩帯と、装着者の両腿に夫々巻き回される一対の腿帯とを備えるものが知られている（例えば、特許文献１参照）。
【０００３】
所謂フルハーネス型の安全帯では、装着者の右肩に掛け回される右肩帯は、装着者の左腿に巻き回される左腿帯に連結される。反対に装着者の左肩に掛け回される左肩帯は、装着者の右腿に巻き回される右腿帯に連結される。特許文献１の安全帯は、装着者の背中で両肩帯をＸ字状に交差させるパッドを備える所謂Ｘ型安全帯である。
【０００４】
また、装着者の動き易さを向上させるべく、両腿帯から延びる２つの肩帯を装着者の腰のあたりに設けられた結束具で一度まとめるように重ね合わせて、その後、装着者の背中のあたりに位置する分岐部材を用いて対応する装着者の肩に向かうように肩帯をＹ字状に分岐させる安全帯（Ｙ型安全帯）も知られている（例えば、特許文献２参照）。
【０００５】
分岐部材には、右肩帯を装着者の右肩へ向けて分岐させる第１挿通孔と、左腿帯を装着者の左肩へ向けて分岐させる第２挿通孔とが設けられている。
【先行技術文献】
【特許文献】
【０００６】
【特許文献１】特開２００６−２２３６３９号公報
【特許文献２】特開２０１３−８１５９７号公報
【発明の概要】
【発明が解決しようとする課題】
【０００７】
従来の安全帯は、装着者が一方の肩を上方に上げるような動作を行う場合、安全帯の肩帯が邪魔となり、一方の肩を上げるような動作を行い難いという問題がある。
【０００８】
本発明は、以上の点に鑑み、装着者が動き易い安全帯を提供することを目的とする。
【課題を解決するための手段】
【０００９】
［１］上記目的を達成するため、本発明は、
装着者の両肩に夫々掛け回される一対の肩帯と、
装着者の両腿に夫々巻き回される一対の腿帯と、
前記腿帯に接続される脚帯と、
前記肩帯と前記脚帯との少なくとも一方が挿通される環状接続部材と、
を備える安全帯であって、
前記肩帯と前記脚帯との少なくとも一方は、
前記環状接続部材に挿入されて折り返され、前記環状接続部材に挿入された折り返し部分を軸にＶ字形状に開かれた第１帯体と、
前記第１帯体の折り返された内側に配置されると共に、前記環状接続部材に折り返されるように挿入されて、前記環状接続部材に挿入された折返し部分を軸にＶ字形状に開かれた第２帯体と、
を備え、
前記環状接続部材を通って前記環状接続部材の一方から延びる前記第１帯体の第１一方部分には、前記環状接続部材を通って前記環状接続部材の他方から延びる前記第２帯体の第２他方部分が、前記環状接続部材から所定の長さだけ離隔した位置で固定され、
前記環状接続部材を通って前記環状接続部材の前記他方から延びる前記第１帯体の第１他方部分には、前記環状接続部材を通って前記環状接続部材の前記一方から延びる前記第２帯体の第２一方部分が、前記環状接続部材から所定の長さだけ離隔した位置で固定されていることを特徴とする。
【００１０】
本発明によれば、肩帯と脚帯との少なくとも一方が挿通される環状接続部材において、第１一方部分に第２他方部分が環状接続部材から所定の長さだけ離隔した位置で固定され、第１他方部分に第２一方部分が環状接続部材から所定の長さだけ離隔した位置で固定されている。このように構成することにより、装着者が、一方の肩を上方に上げるような姿勢をとったり、または一方の腿を上方に上げるような姿勢をとることにより脚帯が下方に引っ張られたとしても、肩帯又は脚帯の構成要素としての第１帯体と第２帯体との固定部分が環状接続部材から離隔させた長さの分だけ、肩帯又は脚帯が当該姿勢を許容するように位置をずらす事ができる。これにより、装着者が動き易い安全帯を提供することができる。
【００１１】
［２］また、本発明においては、前記第１帯体は、前記肩帯又は前記脚帯を全体的に構成する帯本体であり、前記第２帯体は、前記第１帯体よりも短く、且つ、前記第２帯体の前記第２他方部分の端部で前記第１一方部分に固定され、前記第２一方部分の端部で前記第１他方部分に固定されていることが好ましい。
【００１２】
本発明によれば、第１帯体よりも短い第２帯体は、環状接続部材で折り返される第１帯体の折り返された内側に位置することとなり、第２帯体の先端と第１帯体とで形成される段差部分も第１帯体の内側に位置することとなる。これにより、当該段差部分が装着者に接触し難くなり、装着者への不快感を与え難い安全帯を提供することができる。
【図面の簡単な説明】
【００１３】
【図１】本発明の安全帯の実施形態を示す説明図。
【図２】本実施形態の安全帯の背面側を示す説明図。
【図３】本実施形態の安全帯の環状接続部材と、その周辺の肩帯と腿帯を示す拡大図。
【図４】本実施形態の肩帯が一方にずれた状態を示す説明図。
【発明を実施するための形態】
【００１４】
図１から図４を参照して、本発明の安全帯の実施形態を説明する。図１及び図２示すように、本実施形態の安全帯１は、高い場所で作業する作業員（装着者）に命綱を付けて装着される所謂フルハーネス型のものであり、装着者の両肩に夫々掛け回される一対の肩帯２，３と、装着者の両腿に夫々巻き回される一対の腿帯４，５と、装着者の腰に巻き回される腰帯６とを備える。
【００１５】
一対の肩帯２，３は、同一の帯状の帯状体で構成されており、帯状体の中央部を装着者の背中に位置する環状接続部材７に通してＶ字状に折り返して構成される。環状接続部材７はＤ環８（アンカーリング）が一体に設けられて８字形状となっており、環状接続部材７がＤ環８の位置決めとしてのＤ環止めとしての機能を兼ね備えている。
【００１６】
一対の腿帯４，５の前方部には、肩帯２，３が前方側で下方に向かって延びて、その下端が夫々固定されている。
【００１７】
また、腿帯４，５は同一の帯状体で２つの輪を作れるように構成される。環状接続部材７には、一対の腿帯４，５の後方部に両端が夫々摺動自在に連結される脚帯１１が設けられている。脚帯１１は、肩帯２，３と同様に、その中央部で環状接続部材７に挿通されて下方へＶ字状に折り返されている。
【００１８】
図３に拡大して示すように、肩帯２，３及び脚帯１１は、肩帯２，３及び脚帯１１の大部分をそれぞれ構成する帯本体としての第１帯体１００と、第１帯体１００よりも短い第２帯体２００と、でそれぞれ構成されている。図３では、第１帯体１００と第２帯体２００とを区別し易くすべく、第２帯体２００にハッチングを施して示している。第１帯体１００は、環状接続部材７に挿入されて折り返されている。第１帯体１００は、環状接続部材７で折り返された部分を軸にＶ字形状に開かれるようにして折り返されている。第２帯体２００は、折り返された第１帯体１００の内側に配置されている。
【００１９】
ここで、環状接続部材７を通って環状接続部材７の一方（例えば装着者の背中に向かう側）から延びる第１帯体１００の部分を第１一方部分１１０、環状接続部材７を通って環状接続部材７の他方（例えば装着者の背中から離隔する側）から延びる第１帯体１００の部分を第１他方部分１２０、環状接続部材７を通って環状接続部材７の一方（例えば装着者の背中に向かう側）から延びる第２帯体２００の部分を第２一方部分２１０、環状接続部材７を通って環状接続部材７の他方（例えば装着者の背中から離隔する側）から延びる第２帯体２００の部分を第２他方部分２２０、とする。
【００２０】
第１一方部分１１０には、第２他方部分２２０の先端が、環状接続部材７から所定の長さだけ離隔した位置で固定されている。第１他方部分１２０には、第２一方部分２１０が、環状接続部材７から所定の長さだけ離隔した位置で固定されている。所定の長さは、安全帯１の安全性に問題がなく、且つ装着者が一方の肩を上方に上げたときに肩帯２，３の長さを微調整できる程度に設定されており、具体的な長さについては安全帯１のサイズ、種類によって異なっている。
【００２１】
一対の腿帯４，５は、連結帯３００によって連結されている。一対の腿帯４，５が連結帯３００で連結されることにより、腿帯４，５同士が離れすぎることを防止できる。連結帯３００には、連結帯３００の外側（装着者に接触する側とは反対側）から上方に向かって折り返された折返し部３１０が設けられている。
【００２２】
本実施形態の安全帯１によれば、肩帯２，３と脚帯１１との少なくとも一方が挿通される環状接続部材７において、第１一方部分１１０に第２他方部分２２０が環状接続部材７から所定の長さだけ離隔した位置で固定され、第１他方部分１２０に第２一方部分２１０が環状接続部材７から所定の長さだけ離隔した位置で固定されている。このように構成することにより、装着者が、一方の肩を上方に上げるような姿勢をとったり、または一方の腿を上方に上げるような姿勢をとることにより脚帯が下方に引っ張られたとしても、図４に示すように、肩帯２，３又は脚帯１１の構成要素としての第１帯体１００と第２帯体２００との固定部分が環状接続部材７から離隔させた長さの分だけ、肩帯２，３又は脚帯１１が当該姿勢を許容するように位置をずらすことができる。これにより、装着者が動き易い安全帯１を提供することができる。
【００２３】
また、第１帯体１００よりも短い第２帯体２００の先端部分は、段差部分を形成することとなる。しかしながら、第２帯体２００は、環状接続部材７で折り返される第１帯体１００の折り返された内側に位置することとなり、第２帯体２００の先端と第１帯体１００とで形成される段差部分も第１帯体１００の内側に位置することとなる。これにより、当該段差部分が装着者に接触し難くなり、装着者への不快感を与え難い安全帯１を提供することができる。
【００２４】
なお、本実施形態では、肩帯２，３と脚帯１１とのいずれもが環状接続部材７に挿通されているものを説明したが、本発明の安全帯は、これに限らない。例えば、肩帯２，３と脚帯１１の何れか一方のみが環状接続部材７に挿通されていても本発明の「装着者が動き易い」という作用効果を奏することができる。
【００２５】
また、本実施形態においては、環状接続部材７が１つのみの安全帯１を用いて説明したが、本発明の安全帯はこれに限らず、例えば、環状接続部材が上下に間隔を存して配置されており、上方に位置する環状接続部材に肩帯を通し、下方に位置する環状接続部材に脚帯を通し、環状接続部材同士を接続帯で接続してもよい。
【００２６】
また、本実施形態においては、脚帯１１と腿帯４，５とを別々の帯で構成したものを説明した。しかしながら、本発明の脚帯と腿帯とはこれに限らず、例えば、脚帯と腿帯とが１つの帯で構成されていてもよい。例えば、環状接続部材から伸びる脚帯を装着者の腰の横を通過して前方から股に通して、後ろから上方に折り返して装着者の腰の横でクロスさせることにより腿帯となる環状帯部分を形成して、肩帯の前方の下端に接続することにより、１つの帯で脚帯と腿帯とを構成することとができる。
【符号の説明】
【００２７】
１  安全帯
２  右肩帯（第１帯状体）
３  左肩帯（第１帯状体）
４  右腿帯
５  左腿帯
６  腰帯
７  環状接続部材
８  Ｄ環（アンカーリング）
１１  脚帯
１００  第１帯体
１１０  第１一方部分
１２０  第１他方部分
２００  第２帯体
２１０  第２一方部分
２２０  第２他方部分
３００  連結帯
３１０  折返し部
【図１】
2020028385.tif 000003
【図２】
2020028385.tif 000004
【図３】
2020028385.tif 000005
【図４】
2020028385.tif 000006